【手続補正書】
【提出日】平成15年9月22日(2003.9.22)
【手続補正１】
【補正対象書類名】明細書
【補正対象項目名】特許請求の範囲
【補正方法】変更
【補正の内容】
【特許請求の範囲】
【請求項１】
複数の周波数音調を利用してフレーム同期パターンを伝送する方法であって、
フレーム同期パターンを取得するステップと、
前記パターンを２進数の対にグループ化するステップと、
第１の２進数の対を少なくとも一つのサブ搬送波に割り当てるステップと、
第２の２進数の対をパイロット音調と関連付けると共に、前記第２の２進数の対を前記パイロット音調に対する定常複合振幅に関連する値で書き換えるステップと、
残りの複数の２進数の対の各々を複合振幅にマッピングするステップと、
前記マッピングされた対の各々を前記周波数音調の対応する一つに割り当てるステップと、
前記周波数音調の少なくとも一つの複合振幅を抑制するステップと、
少なくとも前記周波数音調のサブセットを対応するマッピングされた対に従い変調することにより、変調されたフレーム同期データを生成するステップと、
前記変調されたフレーム同期データを伝送するステップとを備える方法。
【請求項２】
請求項１記載の方法であって、
少なくとも一つのサブ搬送波はd.c.及びナイキストサブ搬送波を含む方法。
【請求項３】
請求項１記載の方法であって、
前記変調されたフレーム同期データは多重搬送波シンボルである方法。
【請求項４】
請求項１、２、３記載の方法であって、
フレーム同期パターンは、以下の等式によって決定されるＮ個の値のシーケンスから選択されたｊ個の値を含む方法であり、
等式は
ｘ［ｐ］＝１ ｐは、１から９
2002208919.tif 000001
ここで、ｊは１より大きく且つＮ以下であり、Ｎは整数であり10より大きく、ｘ［ｐ］は、値のシーケンスの第ｐ番目の２進数であり、
2002208919.tif 000002
はモジュロ２の加法を示している、方法。
【請求項５】
請求項４記載の方法であって、
前記変調されたフレーム同期データは時間ドメインサンプルのシーケンスを有し、
前記伝送するステップに先だって、時間ドメインサンプルのシーケンスの最後から選択されたサンプルの数に対応する循環プレフィクスを付加するステップを更に有する方法。
【請求項６】
請求項１記載の方法であって、
前記複数の周波数音調に対応するビット数を割り当てるステップを更に有し、前記抑制するステップは選択されたレベル以下のビット数を有する複数の周波数音調の少なくとも一つの音調の振幅を抑制するステップ。
【請求項７】
請求項６記載の方法であって、
前記選択されたレベルは２ビットである方法。
【請求項８】
請求項６記載の方法であって、
複数の周波数音調に対応するビット数を割り当てるステップは周波数音調の信号−雑音比に基づくものである方法。
【請求項９】
請求項６記載の方法であって、
前記ビット数から前記複数の周波数音調のエネルギスケーリングベクトルを生成するステップを更に含み、
前記抑制するステップは、前記複数の周波数音調の少なくとも一つに対して、この音調に対するエネルギスケーリングベクトルをマッピングされた２進数の対の複合振幅に掛け合わせるステップを有する方法。
【請求項１０】
請求項６記載の方法であって、
前記割り当てるステップに先立ち、受信装置との通信を初期化するステップを更に有し、前記初期化するステップは、
フレーム同期パターンを獲得するステップと、
前記パターンを２進数の対にグループ化するステップと、
前記２進数の対の各々を複合振幅にマッピングするステップと、
前記マッピングされた対の各々を多重搬送波変調伝送システムの前記周波数音調の対応する一つに割り付けるステップと、
前記周波数音調の少なくとも一つのサブセットを対応するマッピングされた対に従って変調することにより変調されたフレーム同期データを生成するステップと、
前記変調されたフレーム同期データを受信装置に伝送することにより、受信装置が送信装置とのフレーム同期を獲得することを可能とするステップとを有する方法。
【請求項１１】
請求項１記載の方法であって、
前記変調し抑制するステップの後で、選択されたサンプリング周波数により前記変調されたフレーム同期データをディジタルデータからアナログ信号に変換するステップを更に有し、
前記サンプリング周波数は前記パイロット信号の周波数の２の累乗整数である方法。
【請求項１２】
請求項１記載の方法であって、
前記伝送するステップは前記変調されたフレーム同期データを変調されたデータフレームの間で周期的に伝送する方法。
【請求項１３】
請求項１記載の方法であって、
前記伝送するステップは前記変調されたフレーム同期データを２線式電話加入者回線を介して伝送する方法。
【請求項１４】
請求項１記載の方法であって、
前記伝送するステップは前記変調されたフレーム同期データを非同期ディジタル加入者回線システムの伝送のアップストリーム方向に伝送する方法。
【請求項１５】
請求項１記載の方法であって、
前記伝送するステップは前記変調されたフレーム同期データを非同期ディジタル加入者回線システムの伝送のダウンストリーム方向に伝送する方法。
【請求項１６】
多重搬送波変調を用いてデータを通信する送信装置であって、
前記送信装置は、
２進数のシーケンスを生成するためのフレーム同期シーケンス源であって、第１の２進数の対はd.c.及びナイキストサブ搬送波に関連付けられており、第２の２進数の対はパイロット音調と関連付けられると共に前記パイロット音調に対する定常複合振幅で書き換えられ、複数の残り２進数の対の各々は周波数ドメイン同期フレーム多重搬送波シンボルにおける関連付けられた周波数音調に対応する複合振幅を規定するものであるフレーム同期シーケンス源と、
周波数ドメイン同期フレーム多重搬送波シンボル内の前記周波数音調の少なくとも一つの複合振幅をその音調に関連付けられた２進数の対によって規定される複合振幅から抑制する回路と、
前記周波数ドメイン同期フレーム多重搬送波シンボルから時間ドメイン多重搬送波シンボルを生成する変調器と、
時間ドメイン多重搬送波シンボルからアナログ出力信号へ変換するディジタル−アナログ変換器とからなる送信装置。
【請求項１７】
請求項１６記載の送信装置であって、
前記抑制する回路が、前記周波数ドメイン同期フレーム多重搬送波シンボル内の前記周波数音調の少なくとも一つに対応する複合振幅に、変調器に与えられる前に、掛け合わされるエネルギスケーリングベクトルを提供するビット割り当てテーブルを有する送信装置。
【請求項１８】
請求項１６記載の送信装置であって、
前記抑制する回路は、選択されたレベルより小さいビット数を有する前記周波数ドメイン同期フレーム多重搬送波シンボル内の前記複数の音調の少なくとも一つの複合振幅を抑制する送信装置。
【請求項１９】
請求項１６記載の送信装置であって、
データストリームをフレーム内に整列された周波数ドメイン多重搬送波データシンボルに符号化する符号機を更に有し、
前記変調器は前記周波数ドメイン多重搬送波データシンボルから時間ドメイン多重搬送波データシンボルを生成し、
前記ディジタル−アナログ変換器は時間ドメイン多重搬送波データシンボルをアナログ信号に変換する送信装置。
【請求項２０】
請求項１９記載の送信装置であって、
前記変調器は前記周波数ドメイン同期フレーム多重搬送波シンボルおよび前記周波数ドメイン多重搬送波データシンボルを周期的に変調する送信装置。
【請求項２１】
請求項１６記載の送信装置であって、
前記フレーム同期シーケンス源はフレーム同期パターンを格納する回路を有する送信装置。
【請求項２２】
請求項１９記載の送信装置であって、
前記変調器は逆ＦＦＴ装置を有する送信装置。
【請求項２３】
請求項１６記載の送信装置であって、
前記２進数のシーケンスは以下の等式によって決定されるＮ個の値のシーケンスから選択されるｊ個の値を含み、
等式は、
ｘ［ｐ］＝１ ｐは、１から９
2002208919.tif 000003
ここで、ｊは１より大きく且つＮ以下であり、Ｎは整数であり10より大きく、ｘ［ｐ］は、数列の第ｐ番目の２進数値であり、
2002208919.tif 000004
はモジュロ２の加法を示している、送信装置。
【請求項２４】
請求項１６記載の送信装置であって、
前記時間ドメイン多重搬送波シンボルは時間ドメインサンプルのシーケンスを有し、
更に、時間ドメインサンプルのシーケンスの最後から選択されたサンプルの数に対応する循環プレフィックスを付加する循環プレフィックス付加器を有する送信装置。
【請求項２５】
請求項２４記載の送信装置であって、
選択されたレベルは２ビットである送信装置。
【請求項２６】
請求項１６記載の送信装置であって、
前記ディジタル−アナログ変換器は前記パイロット音調の周波数の２の累乗整数であるサンプリング周波数で動作する送信装置。
【請求項２７】
請求項１６記載の送信装置であって、
受信したアナログ信号を直列時間ドメインサンプルストリームへ変換するアナログ−ディジタル変換器と、
前記時間ドメインサンプルストリームを周波数ドメイン多重波シンボルへ復調する復調器と、
前記周波数ドメイン多重波シンボルから復号された信号を受信する回路を更に有する送信装置。
【請求項２８】
請求項２７記載の送信装置であって、
前記アナログ−ディジタル変換器の入力と前記ディジタル−アナログ変換器の出力を伝送路に結合する複合回路を更に有する送信装置。
【請求項２９】
請求項２８記載の送信装置であって、
前記伝送路は２線式電話加入者回線で構成されている送信装置。
【請求項３０】
請求項２８記載の送信装置であって、
前記ディジタル−アナログ変換器は第１のサンプリング周波数で動作することによりアナログ信号出力は第１伝送レートに従うものであり、
受信したアナログ信号は第２伝送レートに対応する送信装置。
【請求項３１】
請求項３０記載の送信装置であって、
前記第１伝送レートは前記第２伝送レートより大である送信装置。
【請求項３２】
請求項３０記載の送信装置であって、
前記第１伝送レートは前記第２伝送レートより小である送信装置。